(57)【要約】      （修正有）【課題】サンドイッチの品質低下を起こさずに体裁を保持し、食する際にはサンドイッチを簡単に取り出せる包装箱を提供する。【解決手段】保形性を有する紙で、後方向へ斜めに立ち上がる四角形の正面部１ａと、正面部の上辺から正面部と同じ幅で垂下する四角形の背面部１ｂと、正面部の下部の境界辺と背面部の下部の境界辺との間の水平な四角形の底面部１ｅと、正面部、背面部及び底面部の左右両側の各辺に囲われた直角三角形の側面部１ｃ、１ｄとから成る箱体１を形成し、箱体の底面部の前側の境界辺１ｆから後ろ側の境界辺１ｈを通り背面部の上辺１ｇに到る、底面部と背面部を両側に分離させる直線的なジッパータイプのミシン目２を形成し、背面部の上辺１ｇにミシン目の破断終了部分を跨ぐように繋がる掛止用差込舌片６ａを突設する。【選択図】図１
0003199074.tif 000002
【実用新案登録請求の範囲】
【請求項１】
保形性を有する紙で、後方向へ斜めに立ち上がる四角形の正面部と、該正面部の上辺から該正面部と同じ幅で垂下する四角形の背面部と、前記正面部の下部の境界辺と前記背面部の下部の境界辺との間の水平な四角形の底面部と、前記正面部、背面部及び底面部の左右両側の各辺に囲われた直角三角形の側面部とから成る箱体を形成し、
該箱体の底面部の前側の境界辺から前記底面部の後ろ側の境界辺を通り背面部の上辺に到る、底面部と背面部を両側に分離させる直線的なジッパータイプのミシン目を形成し、
前記箱体の背面部の上辺に前記ミシン目の破断終了部分を跨ぐように繋がる掛止用差込舌片を突設したことを特徴とするサンドイッチ用包装箱。
【請求項２】
箱体の正面部に、一側部側から他側部側に向けて下から上に斜めに開口する覗き窓を設けると共に該覗き窓に透明又は半透明のフィルムを張設したことを特徴とする請求項１に記載のサンドイッチ用包装箱。
【請求項３】
覗き窓を、横方向はサンドイッチの全て種類の具材を目視可能な最小幅とし、縦方向はサンドイッチ下部の具材露出部分を目視可能とする一側部側からサンドイッチ上部の具材露出部分を目視可能とする他側部側の上部にまで斜めに開口させたことを特徴とする請求項２に記載のサンドイッチ用包装箱。
【考案の詳細な説明】
【技術分野】
【０００１】
本考案は販売するためにサンドイッチを収納する包装箱に関する。
【背景技術】
【０００２】
四角の食パンを斜めに切った三角形のサンドイッチが、食品衛生上等から機械作業や手作業によりフィルム等で包装して店頭で販売されているが、柔らかなサンドイッチは薄いフィルムと一緒に変形してしまうので、商品としての体裁に問題がある。又、包装内部に湿気が籠って、フィルム表面に発生した結露水をサンドイッチが吸って食感が低下するという欠点があった。
一方、例えば、紙を用いることで廃棄物処理し易くした下記特許文献１や、高級感とサンドイッチの取り出しを容易とした特許文献２の如く、紙製のサンドイッチ用包装箱が提案されている。
【先行技術文献】
【特許文献】
【０００３】
【特許文献１】特開２００４−１９６３２３号公報
【特許文献２】特開２００５−１２６１２７号公報
【特許文献３】特開２００６−１３１２７１号公報
【考案の概要】
【考案が解決しようとする課題】
【０００４】
上記特許文献１及び２の如く紙を使用すると、中の柔らかく変形しやすいサンドイッチの形が崩れないように保てるので、変形による商品の体裁を落とさない点でフィルム包装より優れている。
しかしながら、特許文献１の包装箱は、蓋を開いて抜こうとすると箱が変形を起こし蓋が開け難くい上に、指を箱の両側の狭い隙間に無理に指を差し込んでサンドイッチを把持して中のサンドイッチを引き出さなければ成らず、取り出し難い上に、指の圧力でサンドイッチが潰れて具材が出てしまうことがある。又、特許文献２の箱体は、後面の蓋板を閉じたラベルを除去してから蓋板を開いて中のサンドイッチを取り出さなければならないためその取り出し作業が面倒で素早く取り出すことができない。
なお、紙製ではなくフィルム製であるが、サンドイッチを取り出すための２条の開封用ミシン目状の切り込みを設けたサンドイッチ包装用の袋が提案されており、ミシン目状切り込みで中央部を帯状に切り裂くことでサンドイッチを取り出せるが、フィルムで包装するものなので、サンドイッチにフィルムが変形してまとわり着いてしまって出し難くなり、又、フィルムの表面に具材に含まれた水分によって結露水が発生し、その水を吸ってサンドイッチの品質が低下するという難点がある。
【０００５】
本考案は上記事情に鑑みてなされたもので、保存時には商品としてのサンドイッチの品質低下を起こさずに体裁を保持し、食する際にはサンドイッチを箱の中から簡単に取り出すことが可能となる包装箱を提供することを目的とする。
【課題を解決するための手段】
【０００６】
上記課題を解決するために、本考案のサンドイッチ包装箱は、保形性を有する紙で、後方向へ斜めに立ち上がる四角形の正面部と、該正面部の上辺から該正面部と同じ幅で垂下する四角形の背面部と、前記正面部の下部の境界辺と前記背面部の下部の境界辺との間の水平な四角形の底面部と、前記正面部、背面部及び底面部の左右両側の各辺に囲われた直角三角形の側面部とから成る箱体を形成し、該箱体の底面部の前側の境界辺から前記底面部の後ろ側の境界辺を通り背面部の上辺に到る、底面部と背面部を両側に分離させる直線的なジッパータイプのミシン目を形成し、前記箱体の背面部の上辺に前記ミシン目の破断終了部分を跨ぐように繋がる掛止用差込舌片を突設したことを特徴とする。
【０００７】
請求項２に記載の考案は、上記考案において、前記箱体の正面部に、一側部側から他側部側に向けて下から上に斜めに開口する覗き窓を設けると共に該覗き窓に透明又は半透明のフィルムを張設したことを特徴とする。
【０００８】
請求項３に記載の考案は、上記考案において、前記覗き窓を、横方向はサンドイッチの全て種類の具材を目視可能な最小幅とし、縦方向はサンドイッチ下部の具材露出部分を目視可能とする一側部側からサンドイッチ上部の具材露出部分を目視可能とする他側部側の上部にまで斜めに開口させたことを特徴とする。
【考案の効果】
【０００９】
上記の如き本考案は、箱体が保形性を有した紙製なので中に収納したサンドイッチを変形させずに品質を保持して店頭販売を行うことができる。
又、保管中は紙材で覆うことでパンや具材の過度な乾燥を防ぐと同時に紙材の吸湿作用で箱内に結露水を発生させない。
そして、食する際には、ジッパータイプのミシン目で容易且つ素早くは箱面を破断させて箱体を大きく割り開き、サンドイッチを軽く摘まんで簡単に取り出せるようになる。その際に、ミシン目の破断終了部分は箱体から分離されるが、背面部の上辺に破断終了部分を跨いだ掛止用差込舌片によって背面部の両側が繋がれるので箱体自体が崩れてしまうことなく開口部を大きく開くことが可能となる。このため、サンドイッチの形崩れを起こさせないで綺麗に取り出すことが可能となる。
【００１０】
請求項２に記載の考案においては、正面部の対角にあるコーナー側の残された面で箱体の正面部の保形性が維持され、且つ覗き窓からフィルムを透かして中のサンドイッチの具材の形や量を確認することが可能となる。
【００１１】
請求項３に記載の考案においては、小さい面積の覗き窓でありながら、横方向の広がりで全ての具材を確認し、縦方向では一方側の下部までの量と他方側の上部までの具材の量を確認できるので、これからサンドイッチの具材の種類と量の全体を推定することが可能となるので、商品を安心して購入することができる  ようになる。
【図面の簡単な説明】
【００１２】
【図１】本考案の（イ）は斜め上から見た斜視図であり、（ロ）は斜め下から見た斜視図である。
【図２】箱体の組み立て前の展開状態を示す平面図である。
【図３】サンドイッチを入れた状態を示す斜視図である。
【考案を実施するための形態】
【００１３】
本考案の形態を図を基に以下説明する。
本考案のサンドイッチ用包装箱は、ボール紙のような硬さがある保形性を備えた紙でサンドイッチが収納できるサイズの箱体を形成する。
前記紙材は吸湿性、吸水性を有し、そして、その表面は平滑で裏面が粗面のものを使用すれば表面に各種デザインの図柄を綺麗に印刷や塗装することができる。紙材は樹脂膜を積層した積層紙を使用することも可能である。
該箱体は、図１の（イ）及び（ロ）に示すように、後方向へ斜めに立ち上がる四角形の正面部１ａと、該正面部１ａの上辺から該正面部１ａと同じ幅で垂下する四角形の背面部１ｂと、前記正面部１ａの下部の境界辺１ｆと前記背面部１ｂの下部の境界辺１ｈとの間の水平な四角形の底面部１ｅと、前記正面部１ａ、背面部１ｂ及び底面部１ｅの左右両側の各辺に囲われた直角三角形の側面部１ｃ、１ｄとを備える。
前記側面部１ｃ、１ｄは、図１に示すように、四角の食パンを斜めに切ったサンドイッチの形状に合わせた直角三角形に形成する。
【００１４】
そして、該箱体１の底面部１ｅの前側の境界辺１ｆから前記底面部１ｅの後ろ側の境界辺１ｈを通り背面部１ｂの上辺１ｇに到る、底面部１ｅと背面部１ｂを両側に分離させる直線的なジッパータイプのミシン目２を形成する。
前記ジッパータイプのミシン目２は、２本の並行な破線状の切り込み２ｂを設けて、一方からその切り込み２ｂ間の破断帯面２ａを引き上げて切り込み２ｂ間を連続して破って最後に該破断帯面２ａを除去して紙面が両側に引き裂けるようにしたものである。
このミシン目２は、図１の（ロ）に示すように、２本の並行な切込みの一方側が内側に途中まで屈曲しているので、平行側から屈曲側方向へ切り込み２ｂ間の内部を引き上げると、紙面は外側への変則的な破断を生じない連続した規則的な両辺を持つ破断帯面２ａとなって抜き空間が発生して両側に引き裂かれる。
該ミシン目２は、該箱体１の底面部１ｅと背面部１ｂの中央を貫くように形成すれば面を２等分するので破断帯面２ａを開ける際に両側にバランスが取れるので好ましい。
【００１５】
そして、前記ミシン目２の破断開始部分、即ち正面部１ａの下側の境界辺１ｆに、破断帯面２ａに繋がる摘まみ用の舌片３を形成する。
この舌片３は前側と左右の側面側の３方を切り開いて、後側が破断帯面２ａと一体的になるように接続する。
更に、該ミシン目２の破断終了部分は背面部１ｂの上辺１ｇで箱体１から分離されるように設けると共に背面部１ｂの上辺１ｇに破断終了部分を跨ぐように繋がる掛止用差込舌片６ａを突設する。
この舌片３によって、前側の先端から外側に容易に捲り上げられるようになる。そしてこの舌片３を指で摘まんで外側に引くと、規則的な両辺を持つ破断帯面２ａとなって帯のように紙が破断し、その破断部９が後方に進んで、更に底面部１ｅの境界辺１ｈを通過して上に屈曲し、背面部１ｂを競りあがってその上辺１ｇに到達して切断されて背面部１ｂから引き離される。
その際、背面部１ｂの上辺１ｇまでは破断するが、その部分を跨ぐように設けた掛止用差込舌片６ａが背面部１ｂの上辺１ｇを分離させずに繋げた状態を維持させる。
即ち、底面部１ｅと背面部１ｂが破断部９で箱体１を左右に割るよう大きく開かれ、割れた底面部１ｅの前側の境界辺１ｆは正面部１ａで分離されず繋がれ、割れた背面部１ｂの上辺１ｇは掛止用差込舌片６ａで分離されず繋がれるのでヒンジを開くように箱体１が左右に大きく開かれる。
従って、箱体１自体が崩れることがなく、一旦大きく開いても開口部は元に状態に閉じられる。
このため中のサンドイッチＳが容易に取り出せるだけではなく、食べ掛けのサンドイッチを箱の中に一旦戻しておくこともできる。
【００１６】
又、図１の（イ）に示すように、前記正面部１ａには、中のサンドイッチを目視するための覗き窓４を設けることができる。該覗き窓４には透明又は半透明なフィルム５を張設  し、該フィルム５で開口部を封止することで内部にゴミや雑菌等が入らないようにする。
【００１７】
前記覗き窓４は、図３に示すように、前記箱体１の正面部１ａの一側部側から他側部側に向けて下から上に斜めに開口させる。
この斜めの開口によって、コーナー側の残された面で箱体１の正面部１ａの保形性を維持させるための面積を確保しつつ、覗き窓４からフィルム５を透かして中の一部のサンドイッチＳの具材の形や量を目視し、他の部分を推定することでサンドイッチＳの概要を把握することが可能となる。
【００１８】
その際、例えば、横方向はサンドイッチＳの全て種類の具材を目視可能な最小幅とし、縦方向はサンドイッチＳ下部の具材露出部分を目視可能とする一側部側からサンドイッチＳ上部の具材露出部分を目視可能とする他側部側の上部にまで斜めに開口させることが可能である。
この場合には、全てが見える大きな窓ではなく、コーナー側の残された面で箱体１の正面部１ａの保形性を維持させるための面積を確保できる一部が見えない小さい面積の覗き窓４でありながら、正面部１ａの横方向の広がりで全ての具材を確認し、縦方向では一方側の下部までの量と他方側の上部までの具材の量を確認できるので、これからサンドイッチＳの具材の種類と量の全体を推定することが可能となるので、商品をより安心して購入することができるようになる。
なお、図３は、覗き窓４の外形を側面部１ｃ、１ｄの辺に対して平行な辺４ａ、４ｂを有し上下の辺４ｃ、４ｄを傾斜させた平行四辺形状に形成した態様を示す。
【００１９】
また、箱体１は、図２に示すように、一枚の展開図の周囲を除去し、これを屈曲させることで組み立てる態様が可能である。
該図２の展開図は、底面部１ｅを挟んで正面部１ａと背面部１ｂが一体的に繋がった態様であり、細線部分で谷折りし、側面部１ｃ、１ｄ及び背面部１ｂの各辺から突出させた掛止用差込舌片６を、正面部１ａ、及び側面部１ｃ、１ｄの谷折り部分に設けた各繋ぎ代８の基部に設けた舌片差込み用切れ目７に差し込むことで、両者の摩擦抵抗で箱の形が維持され、図１に示す５面体の箱体１が組み立てられる。
【００２０】
本考案の前記ミシン目２を破断させた箱体１からのサンドイッチの取り出し方ついては、両手で開口部を持って両側に開く方法もあるが、片手で親指と中指で側面を押さえ、人差し指で正面部１ａを押して開口部を大きく開いて別の手で取り出すこともできる。
【産業上の利用可能性】
【００２１】
本考案は、紙製のサンドイッチ用の包装箱であるが、他にサンドイッチ状の食品用の包装箱として使用することも可能である。
【符号の説明】
【００２２】
１  箱体
１ａ  正面部
１ｂ  背面部
１ｃ  右側面部
１ｄ  左側面部
１ｅ  底面部
１ｆ  正面部と底面部との境界辺
１ｇ  背面部の上辺
１ｈ  背面部と底面部との境界辺
２  ミシン目
２ａ  破断帯面
２ｂ  切り込み
３  摘まみ用の舌片
４  覗き窓
５  透明フィルム
６  掛止用差込舌片
６ａ  背面部の上辺の掛止用差込舌片
７  舌片差込み用切れ目
７ａ  正面部の上辺の掛止用差込舌片
８  繋ぎ代
９  破断部
Ｓ  サンドイッチ
【図１】
0003199074.tif 000003
【図２】
0003199074.tif 000004
【図３】
0003199074.tif 000005